(57)【要約】制御装置（１０）は、空調制御部（３１）と空調負荷係数算出部（３２）とを含む。空調負荷係数算出部（３２）は、居室毎に空調負荷係数（３６ａ）等を算出する。空調制御部（３１）は、空調負荷係数（３６ａ）に基づいて、空調室から居室毎に搬送される空気の風量の配分を算出する。空調制御部（３１）は、風量の配分に応じてそれぞれの空気搬送ファン（３ａ）〜（３ｄ）を制御する。
2020175103.tif 000002
【特許請求の範囲】
【請求項１】
複数の居室に連通されている空調室に設けられた空調装置と、
前記空調室の空気を前記複数の前記居室毎に搬送するため、前記居室毎に対応して設けられた空気搬送ファンと、
複数の前記居室毎に対応する空調負荷係数に基づいて、前記空調室から前記居室毎に搬送される空気の風量の配分を算出し、前記風量の配分に応じてそれぞれの前記空気搬送ファンを制御する制御装置と、を備えることを特徴とする空調システム。
【請求項２】
前記居室毎の室内温度を測定する居室内温度センサを備え、
前記制御装置は、前記居室毎に、前記居室内温度センサから取得された対応する居室の室内温度に基づいて所定の時間帯における前記対応する居室の温度の変化の量を示す温度変化量を検出し、前記所定の時間帯における前記空調室から対応する居室へ搬送される空気の送風量と前記対応する居室の温度変化量とに基づいて前記空調負荷係数を算出すること特徴とする請求項１に記載の空調システム。
【請求項３】
前記制御装置は、前記居室毎に、所定日数に亘る同一の前記所定の時間帯に対して空調負荷係数を算出し、前記居室毎に、前記所定日数に亘る同一の前記所定の時間帯に対して算出された前記空調負荷係数の平均値を算出し、前記居室毎に算出された前記空調負荷係数の平均値を前記所定の時間帯に対する前記空調負荷係数として前記風量の配分に用いることを特徴とする請求項２に記載の空調システム。
【請求項４】
前記所定の時間帯は、連続する複数の時間帯の一の時間帯であり、
前記制御装置は、さらに、前記居室毎に前記複数の時間帯の前記所定の時間帯以外の各時間帯に対して空調負荷係数を算出し、前記居室毎に前記複数の時間帯に対して算出された空調負荷係数の平均値を算出し、前記居室毎に算出された前記空調負荷係数の平均値を前記所定の時間帯に対する前記空調負荷係数として、前記風量の配分に用いることを特徴とする請求項２に記載の空調システム。
【請求項５】
前記制御装置は、前記居室毎に、季節中の前記所定の時間帯の空調負荷係数の平均値を算出し、前記居室毎に算出された前記空調負荷係数の平均値を前記季節の前記所定の時間帯に対する前記空調負荷係数として、前記風量の配分に用いることを特徴とする請求項３又は４に記載の空調システム。
【請求項６】
複数の居室に連通されており空調装置を備えた空調室の空気を複数の前記居室毎に搬送するため前記居室毎に対応して設けられた空気搬送ファンの運転を制御する制御装置により実行される空調制御プログラムにおいて、
複数の前記居室毎に対応する空調負荷係数に基づいて、前記空調室から前記居室毎に搬送される空気の風量の配分を算出し、前記風量の配分に応じてそれぞれの前記空気搬送ファンを制御するように、前記制御装置を動作させる空調制御プログラム。
【請求項７】
複数の居室に連通されており空調装置を備えた空調室の空気を複数の前記居室毎に搬送するため前記居室毎に対応して設けられた空気搬送ファンの運転を制御する制御装置により実行される空調制御プログラムを記憶した記憶媒体であって、
複数の前記居室毎に対応する空調負荷係数に基づいて、前記空調室から前記居室毎に搬送される空気の風量の配分を算出し、前記風量の配分に応じてそれぞれの前記空気搬送ファンを制御するように、前記制御装置を動作させる空調制御プログラムを記憶した記憶媒体。
【請求項８】
前記制御装置は、さらに、前記複数の居室のそれぞれの目標温度と現在温度との差に基づいて、前記複数の空気搬送ファンに関する風量の配分を算出すること特徴とする請求項１に記載の空調システム。
【請求項９】
前記複数の空調負荷係数のそれぞれは、対応する居室の空調に必要なエネルギー量に基づいて決められることを特徴とする請求項１に記載の空調システム。
【発明の詳細な説明】
【技術分野】
【０００１】
本発明は、空調システム、空調制御プログラムおよび空調制御プログラムを保存している記憶媒体に関する。
【背景技術】
【０００２】
複数個の居室を備えた家屋において、少なくともひとつの空調室を独立して設けて空調室内の空調を制御し、その空調室と各居室とを連結する給気ダクトを備え、空調室の空気を個別的に分配給する全館型の空調システムが知られている（例えば、特許文献１）。【０００３】
従来、この種の空調システムでは、居室毎に個別設定スイッチや居室の室内温度を測定する温度センサを配置し、設定された目標温度と温度センサで測定された室内温度との差に基づいて、空調室から分配給される空気の送風量を制御している。
【先行技術文献】
【特許文献】
【０００４】
【特許文献１】特開２０１１−１２７８４５号公報
【発明の概要】
【０００５】
さて、それぞれ個別に仕切られた居室は、その空間の大きさが異なるため、居室毎に目標温度へ到達させるために必要な空調のエネルギー（空調負荷）が異なる。また、それぞれの居室において、日射の有無、熱負荷機器の存在、人が存在する時間帯やその人数によっても、空調負荷が変動する。
【０００６】
しかしながら、上記した従来の空調システムでは、各居室における空調負荷を考慮せずに空調室から各居室への空気の送風量を居室毎に決定しているため、各居室の空調負荷によっては、なかなか冷えない、温まらない、または、冷え過ぎ、温め過ぎなどの状態が発生し得るという問題がある。
【０００７】
本発明は、上記課題を解決するためになされたものであり、各居室の空調負荷を考慮して適切に空調室の空気を各居室へ送風できる空調システム及び空調制御プログラムを提供することを目的とする。
【０００８】
この目的を達成するために、本発明の空調システムは、複数の居室に連通されている空調室に設けられた空調装置と、前記空調室の空気を複数の前記居室毎に搬送するため、前記居室毎に対応して設けられた空気搬送ファンと、複数の前記居室毎に対応する空調負荷係数に基づいて、前記空調室から前記居室毎に搬送される空気の風量の配分を算出し、前記風量の配分に応じてそれぞれの前記空気搬送ファンを制御する制御装置と、を備える。
【０００９】
また、本発明の空調制御プログラムは、複数の居室に連通されており空調装置を備えた空調室の空気を複数の前記居室毎に搬送するため前記居室毎に対応して設けられた空気搬送ファンの運転を制御する制御装置により実行されるものである。前記空調制御プログラムは、複数の前記居室毎に対応する空調負荷係数に基づいて、前記空調室から前記居室毎に搬送される空気の風量の配分を算出し、前記風量の配分に応じてそれぞれの前記空気搬送ファンを制御するように、前記制御装置を動作させる。
【００１０】
また、本発明の記憶媒体は、上記の空調制御プログラムを記憶している。
【００１１】
本発明の空調システム及び空調制御プログラムによれば、複数の居室毎に設定された空調負荷係数に基づいて、空調室から居室毎に搬送される空気の風量の配分が算出され、風量の配分に応じてそれぞれの空気搬送ファンが制御される。よって、各居室の空調負荷を考慮して適切に空調室の空気を各居室へ送風できるという効果がある。
【図面の簡単な説明】
【００１２】
【図１】図１は、本発明の一実施形態に係る空調システムの接続概略図である。
【図２】図２は、同空調システムの制御装置の概略機能ブロック図である。
【図３】図３は、同制御装置の負荷係数記憶部に記憶される算出負荷係数、時間ラベル、居室ラベルの関係を模式的に示した模式図である。
【図４】図４は、同制御装置にて実行される空調負荷係数算出処理を示すフローチャートである。
【図５】図５は、同制御装置にて実行される空調制御処理を示すフローチャートである。
【発明を実施するための形態】
【００１３】
以下、本発明を実施するための形態について添付図面を参照して説明する。なお、以下に説明する実施の形態は、いずれも本発明の好ましい一具体例を示すものである。よって、以下の実施の形態で示される、数値、形状、材料、構成要素、構成要素の配置位置及び接続形態、並びに、ステップ（工程）及びステップの順序などは、一例であって本発明を限定する主旨ではない。従って、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略または簡略化する。
【００１４】
まず、図１を参照して、本発明の一実施形態に係る空調システム２０の概略構成について説明する。図１は、本実施形態に係る空調システム２０の接続概略図である。
【００１５】
空調システム２０は、外気導入ファン４と、複数の排気ファン５ａ，５ｂ，５ｃ，５ｄと、複数の空気搬送ファン３ａ，３ｂ，３ｃ，３ｄと、複数の循環ファン６ａ，６ｂ，６ｃ，６ｄと、複数の居室内温度センサ１１ａ，１１ｂ，１１ｃ，１１ｄと、空調室内温度センサ１４と、エアコンディショナー（空調装置）９と、入出力端末１９と、制御装置１０とを備えて構成される。
【００１６】
空調システム２０は、建物の一例である一般住宅１内に設置される。一般住宅１は、複数（本実施形態では４つ）の居室２ａ〜２ｄに加え、居室２ａ〜２ｄと独立した少なくとも１つの空調室１８を有している。ここで一般住宅１（住宅）とは、居住者がプライベートな生活を営む場として提供された住居であり、一般的な構成として居室にはリビング、ダイニング、寝室、個室、子供部屋等が含まれる。また空調システム２０が提供する居室にトイレ、浴室、洗面所、脱衣所等を含んでもよい。
【００１７】
空調室１８は、ダクト２１ａ〜２１ｄを介して各居室２ａ〜２ｄに連通されている。空調室１８は、さらに、ダクト２２ａ〜２２ｄを介して各居室２ａ〜２ｄに連通されている。空調室１８では、外気導入ファン４により外気が空調室１８内に取り込まれ、循環ファン６ａ〜６ｄによって各居室２ａ〜２ｄより搬送された空気と混合される。空調室１８の空気は、空調室１８内に設けられた空調装置としてのエアコンディショナー９によって温度が制御されることにより空調される。空調室１８にて空調された空気は、空気搬送ファン３ａ〜３ｄにより、各居室２ａ〜２ｄに搬送される。
【００１８】
各居室２ａ〜２ｄの空気は、循環ファン６ａ〜６ｄにより空調室１８へ搬送される他、排気ファン５ａ〜５ｄによって居室２ａ〜２ｄ内から一般住宅１外へ外気として排出される。なお、空調システム２０は、排気ファン５ａ〜５ｄの排気風量を制御して室内から外気を排出しつつ、排気ファン５ａ〜５ｄの排気風量と連動させながら外気導入ファン４の給気風量を制御して室内に外気を取り込むことで、第１種換気方式の換気を行う。第１種換気方式とは、給気と排気のどちらにもファンを利用する方式をいう。
【００１９】
外気導入ファン４は、一般住宅１の室内に外気を取り込むファンであり、給気ファンや熱交換気扇の給気機能等が該当する。上記した通り、外気導入ファン４により取り込まれた外気は、空調室１８内に導入される。外気導入ファン４の給気風量は、複数段階で設定可能に構成されており、その排気風量は、排気ファン５ａ〜５ｄの排気風量に応じて設定される。
【００２０】
排気ファン５ａ〜５ｄは、対応する居室２ａ〜２ｄの空気の一部を外気として排出するファンであり、天埋換気扇、壁掛換気扇、レンジフード、熱交換気扇の排気機能等が該当する。排気ファン５ａは居室２ａに、排気ファン５ｂは居室２ｂに、排気ファン５ｃは居室２ｃに、排気ファン５ｄは居室２ｄに設けられている。
【００２１】
各排気ファン５ａ〜５ｄは、それぞれ、その排気風量が複数段階で設定可能に構成されている。通常時は、予め設定された排気風量となるように各排気ファン５ａ〜５ｄは制御される。そして、ユーザによる設定や、各種センサにより取得された値に応じて、排気ファン５ａ〜５ｄ毎に排気風量が制御される。
【００２２】
空気搬送ファン３ａ〜３ｄは、各居室２ａ〜２ｄに対応して空調室１８に設けられている。空調室１８の空気は、空気搬送ファン３ａによって居室２ａに搬送され、空気搬送ファン３ｂによって居室２ｂに搬送され、空気搬送ファン３ｃによって居室２ｃに搬送され、空気搬送ファン３ｄによって居室２ｄに搬送される。空気搬送ファン３ａ〜３ｄは、各居室２ａ〜２ｄに設けられてもよい。空気搬送ファン３ａ〜３ｄは、空調室１８と各居室２ａ〜２ｄの間をつなぐダクト２１ａ〜２１ｄに設けられてもよい。
【００２３】
各空気搬送ファン３ａ〜３ｄは、いずれもＤＣモータにより駆動され、それぞれの空気搬送ファン３ａ〜３ｄに対して設定された送風量で送風量が一定となるように風量一定制御が行われる。空気搬送ファン３ａ〜３ｄはそれぞれ、対応する居室の大きさや目的（リビング、寝室、子供部屋など）に応じて最大風量が１１０ＣＦＭ（Ｃｕｂｉｃ  Ｆｅｅｔ  ｐｅｒ  Ｍｉｎｕｔｅ）のものまたは８０ＣＦＭのものが取り付けられる。そして、最大風量１１０ＣＦＭの空気搬送ファンについては、５０〜１１０ＣＦＭの範囲を１０ＣＦＭ刻みで送風量が設定可能となっている。また、最大風量８０ＣＦＭの空気搬送ファンについては、３０〜８０ＣＦＭの範囲を１０ＣＦＭ刻みで送風量が設定可能となっている。
【００２４】
循環ファン６ａは居室２ａに、循環ファン６ｂは居室２ｂに、循環ファン６ｃは居室２ｃに、循環ファン６ｄは居室２ｄに設けられている。各居室２ａ〜２ｄの空気の一部は、対応する循環ファン６ａ〜６ｄによって、空調室１８に搬送される。なお、循環ファン６ａ〜６ｄの代わりに、各居室２ａ〜２ｄから空気を通すガラリなどによって一般住宅１内の共有空間へ居室内の空気を押し出すことにより、共有空間を介して空調室１８へ空気を還流させてもよい。
【００２５】
エアコンディショナー９は、本発明の空調装置に該当するものであり、空調室１８の空調を制御する。エアコンディショナー９は、運転モードとして、空調室１８の空気を冷却する冷房運転と、空調室１８の空気を加熱する暖房運転とが設定可能であり、空調室１８内の空気の温度が設定された目標温度となるように、空調室１８の空気を冷却または加熱する。
【００２６】
居室内温度センサ１１ａは、居室２ａに設けられ、居室内温度センサ１１ｂは、居室２ｂに設けられ、居室内温度センサ１１ｃは、居室２ｃに設けられ、居室内温度センサ１１ｄは、居室２ｄに設けられている。居室内温度センサ１１ａ〜１１ｄは、対応する居室２ａ〜２ｄそれぞれの居室内の温度（居室内温度）を測定して、制御装置１０に送信するセンサである。
【００２７】
空調室内温度センサ１４は、空調室１８に設けられ、空調室１８の空気の温度（空調室内温度）を測定して空調室内温度を示す信号を生成し、その信号を制御装置１０に送信するセンサである。
【００２８】
制御装置１０は、空調システム２０全体を制御するコントローラである。例えば、制御装置１０は、空調室１８に設けられたエアコンディショナー９と、居室２ａ〜２ｄ毎に対応して設けられた空気搬送ファン３ａ〜３ｄとの運転を制御する。制御装置１０は、外気導入ファン４、排気ファン５ａ〜５ｄ、空気搬送ファン３ａ〜３ｄ、循環ファン６ａ〜６ｄ、居室内温度センサ１１ａ〜１１ｄ、空調室内温度センサ１４、エアコンディショナー９と、無線通信により通信可能に接続されている。
【００２９】
制御装置１０は、具体的には、後述の入出力端末１９により各居室２ａ〜２ｄに対して設定された目標温度に基づいて、空調室１８の目標温度を設定する。そして、制御装置１０は、空調室内温度センサ１４により測定される空調室１８の温度に基づいて、空調室１８の温度湿度が空調室１８に設定された目標温度となるように、エアコンディショナー９を制御する。
【００３０】
また、制御装置１０は、居室２ａ〜２ｄ毎に、対応する居室の空調に必要なエネルギーからその居室の空調負荷係数を設定する。そして、制御装置１０は、設定した各居室２ａ〜２ｄの空調負荷係数に基づいて、空調室１８から居室２ａ〜２ｄ毎に送風する風量の配分を算出し、風量の配分に応じてそれぞれの空気搬送ファン３ａ〜３ｄを制御する。
【００３１】
これにより、空調室１８にて空調された空気が、各居室２ａ〜２ｄの空調負荷係数に応じた送風量で適切に各居室２ａ〜２ｄに搬送される。よって、各居室２ａ〜２ｄにおいて、なかなか冷えない、温まらない、または、冷え過ぎ、温め過ぎなどの状態が発生することなく、各居室２ａ〜２ｄに設定された目標温度となるように制御される。
【００３２】
なお、空調負荷係数の設定及び空気搬送ファン３ａ〜３ｄの制御については、図２〜図５を参照して後述する。
【００３３】
制御装置１０は、その他、排気ファン５ａ〜５ｄの排気風量に応じた風量となるように、外気導入ファン４の給気風量を設定する等、外気導入ファン４と排気ファン５ａ〜５ｄとを連動させて制御する。これにより、一般住宅１に対して第１種換気方式による換気が行われる。
【００３４】
ここで、制御装置１０と、外気導入ファン４、排気ファン５ａ〜５ｄ、空気搬送ファン３ａ〜３ｄ、循環ファン６ａ〜６ｄ、居室内温度センサ１１ａ〜１１ｄ、空調室内温度センサ１４、空調室湿度センサ１５及びエアコンディショナー９とが、無線通信で接続されることにより、複雑な配線工事を不要とすることができる。ただし、これら全体を、または、制御装置１０とこれらの一部を、有線通信により通信可能に構成してもよい。
【００３５】
また、本実施形態では、制御装置１０が独立した一装置として設置される場合について説明するが、エアコンディショナー９や別の装置に内蔵されてもよい。また、制御装置１０が一般住宅１内に必ずしも設置されている必要はなく、外部のサーバによって所謂クラウドにて実現されてもよい。
【００３６】
入出力端末１９は、制御装置１０と無線通信により通信可能に接続され、空調システム２０を構築するうえで必要な情報の入力を受け付けて制御装置１０に記憶させたり、空調システム２０の状態を制御装置１０から取得して表示したりするものである。各居室２ａ〜２ｄに対する目標温度の設定も、入出力端末１９から使用者により行われる。入出力端末１９は、携帯電話、スマートフォン、タブレットといった携帯情報端末が例として挙げられる。
【００３７】
なお、入出力端末１９は、必ずしも無線通信により制御装置１０と接続される必要はなく、有線通信により通信可能に制御装置１０と接続されてもよい。この場合、入出力端末１９は、例えば、壁掛のリモートコントローラにより実現されるものであってもよい。また、図１に示す例では、入出力端末１９が１つ設けられているが、入出力端末１９が複数設けられてもよく、例えば、各居室２ａ〜２ｄにそれぞれ設けられてもよい。
【００３８】
次いで、図２を参照して、制御装置１０の各機能について説明する。図２は、制御装置１０の概略機能ブロック図である。
【００３９】
制御装置１０は、空調制御部３１、空調負荷係数算出部３２、通信制御部３３、カレンダー機能部３４、データ記憶部３５、負荷係数記憶部３６を少なくとも有して構成されている。
【００４０】
空調制御部３１は、エアコンディショナー９と空気搬送ファン３ａ〜３ｄの運転を制御する。例えば、空調制御部３１は、各居室２ａ〜２ｄに対して設定された目標温度等に基づいて、エアコンディショナー９の運転を冷房運転または暖房運転に設定し、また、空調室１８の目標温度を設定する。また、空調制御部３１は、居室２ａ〜２ｄ毎に設定された空調負荷係数に基づいて、空調室１８から居室２ａ〜２ｄ毎に送風する風量の配分を算出し、風量の配分に応じてそれぞれの空気搬送ファン３ａ〜３ｄを制御する。空調制御部３１の詳細については、図５を参照して後述する。
【００４１】
空調負荷係数算出部３２は、居室２ａ〜２ｄ毎に、対応する居室の空調に必要なエネルギーに基づいて、その居室の空調負荷係数を時間帯毎に算出する。本実施形態では、一つの時間帯の長さは１時間である。即ち、０時〜１時、１時〜２時、２時〜３時、…、２２時〜２３時、２３時〜２４時がそれぞれの時間帯である。空調負荷係数算出部３２は、各々の時間帯毎に、各居室２ａ〜２ｄの空調負荷係数を算出している。ここで算出された空調負荷係数は、負荷係数記憶部３６に記憶される。空調負荷係数算出部３２の詳細については、図４を参照して後述する。なお、時間帯の長さは、必ずしも１時間である必要はなく、２時間、３時間など、その割り当ては任意になされてよい。
【００４２】
通信制御部３３は、空調制御部３１と、空気搬送ファン３ａ〜３ｄ、エアコンディショナー９、居室内温度センサ１１ａ〜１１ｄ、空調室内温度センサ１４との間で行われる通信を制御する。空調制御部３１は、空調制御部３１にて設定された空気搬送ファン３ａ〜３ｄ毎の送風量を対応する空気搬送ファンへ通信制御部３３を介して送信することで、各空気搬送ファン３ａ〜３ｄの運転を制御する。
【００４３】
また、空調制御部３１は、空調制御部３１にて設定されたエアコンディショナー９の運転モード（冷房運転または暖房運転）と空調室１８の目標温度とを、通信制御部３３を介してエアコンディショナー９へ送信することで、エアコンディショナー９の運転を制御する。
【００４４】
また、空調制御部３１は、各居室２ａ〜２ｄに設けられた居室内温度センサ１１ａ〜１１ｄから、それぞれの居室内温度センサ１１ａ〜１１ｄにて測定された各居室２ａ〜２ｄの温度を、通信制御部３３を介して所定時間毎に定期的に取得する。空調制御部３１は、取得した各居室２ａ〜２ｄの温度に基づいて、エアコンディショナー９の運転モードを設定したり、各空気搬送ファン３ａ〜３ｄの送風量を決定したりする。また、空調制御部３１は、居室２ａ〜２ｄ毎に定期的に取得したその居室の温度をデータ記憶部３５に記憶する。
【００４５】
また、空調制御部３１は、空調室１８に設けられた空調室内温度センサ１４から、測定された空調室１８の温度を、通信制御部３３を介して所定時間毎に定期的に取得する。空調制御部３１は、定期的に取得した空調室１８の温度をデータ記憶部３５に記憶する。
【００４６】
カレンダー機能部３４は、その時々の日時を空調制御部３１及び空調負荷係数算出部３２に対して出力するもので、例えば、リアルタイムクロック（Ｒｅａｌ  Ｔｉｍｅ  Ｃｌｏｃｋ）により構成される。空調制御部３１は、カレンダー機能部３４にて示される日時に基づいて、各居室２ａ〜２ｄのその日時における空調負荷係数を判断し、各空気搬送ファン３ａ〜３ｄの送風量を決定する。空調負荷係数算出部３２は、カレンダー機能部３４にて示される日時に基づいて、時間帯や季節（月）毎に各居室２ａ〜２ｄの空調負荷係数を設定する。
【００４７】
データ記憶部３５は、各居室２ａ〜２ｄの空調負荷係数を設定するために必要な情報を記憶するもので、空調制御部３１により書き込まれる。空調制御部３１は、所定の時間帯が開始されると、そのときの各居室２ａ〜２ｄの居室内温度を元の居室内温度としてデータ記憶部３５に記憶する。また、空調制御部３１は、その時間帯における、各居室２ａ〜２ｄの居室内温度の時間経過、各空気搬送ファン３ａ〜３ｄの送風量の時間経過、及び、空調室１８の空調室内温度の時間経過をデータ記憶部３５に記憶する。空調負荷係数算出部３２は、このデータ記憶部３５に記憶された各居室２ａ〜２ｄの元の居室内温度、各居室２ａ〜２ｄの居室内温度の時間経過、各空気搬送ファン３ａ〜３ｄの送風量の時間経過、及び、空調室１８の空調室内温度の時間経過に基づいて、居室２ａ〜２ｄ毎の空調負荷係数を設定する。
【００４８】
負荷係数記憶部３６は、空調負荷係数算出部３２により設定された空調負荷係数を記憶する。負荷係数記憶部３６が記憶する空調負荷係数としては、算出負荷係数３６ａ、時間ラベル３６ｂ、居室ラベル３６ｃ、季節ラベル３６ｄがある。これら算出負荷係数３６ａ、時間ラベル３６ｂ、居室ラベル３６ｃ、季節ラベル３６ｄは、居室２ａ〜２ｄ毎に記憶される。ここで、図３も参照しながら、負荷係数記憶部３６の詳細について説明する。図３は、負荷係数記憶部３６に記憶される算出負荷係数３６ａ、時間ラベル３６ｂ、居室ラベル３６ｃの関係を模式的に示した模式図である。
【００４９】
算出負荷係数３６ａは、対象の居室において、時間帯ごとに算出した空調負荷係数そのものである。ここで、一の時間帯における空調負荷係数Ｒは、次の（１）式によって空調負荷係数算出部３２により算出される。
【００５０】
Ｒ＝ΔＳ×Ｆ／（ＴＴ−ＯＴ）  …（１）
ここで、ＴＴは、対象の居室に設定された目標温度、ＯＴは、空調室１８の空調室内温度、ΔＳは、対象の居室において一の時間帯が開始されてからその居室に設定された目標温度ＴＴへ到達するまでの時間、Ｆは、対象の居室に対して空調室１８の空気を送風する空気搬送ファンに設定された送風量である。これらの変数は、データ記憶部３５より取得する。
【００５１】
上記（１）式から、空調負荷係数Ｒは、対応する居室の空調に必要なエネルギー量に基づいて設定されるものであるということができ、その居室において空調に必要なエネルギー量が大きいほど、空調負荷係数が大きくなる。
【００５２】
このように、居室２ａ〜２ｄ毎に、所定時間内における空調室１８から対応する居室へ送風される送風量Ｆと、居室内温度センサ１１ａ〜１１ｄによって取得された対応する居室の温度変化量とに基づいて、空調負荷係数Ｒを算出している。よって、複雑な設定や計算をすることなく、空調負荷係数Ｒを簡単に求めることができる。
【００５３】
本実施形態では、上記した通り、一の時間帯は、０時〜１時、１時〜２時、２時〜３時、…、２２時〜２３時、２３時〜２４時と、１時間毎に設定されている。そして、本実施形態では、各々の居室２ａ〜２ｄに対して、時間帯毎に少なくとも５日分の空調負荷係数Ｒを記憶し、後述の時間ラベル３６ｂを算出する。よって、負荷係数記憶部３６は、算出負荷係数３６ａとして、居室の数×２４の時間帯×５日分の空調負荷係数を記憶する。
【００５４】
時間ラベル３６ｂは、居室２ａ〜２ｄ毎に、所定の時間帯毎、即ち、０時〜１時、１時〜２時、２時〜３時、…、２２時〜２３時、２３時〜２４時のそれぞれについて、その時間帯における空調負荷係数を示すものである。即ち、時間ラベル３６ｂは、居室毎に所定の時間帯の数だけ記憶される。ただし、本実施形態では、後述する季節ラベル３６ｄを算出するための、１か月分（最大３１日分）の時間ラベル３６ｂが記憶可能に構成される。
【００５５】
空調負荷係数算出部３２は、一の居室について、０時〜１時の時間ラベル３６ｂを、その一の居室に対して算出された直近の所定日数（本実施形態では５日分）に亘り、０時〜１時の算出負荷係数３６ａを平均化することで算出する。また、他の時間帯における時間ラベル３６ｂも、その一の居室に対して算出された直近５日分のその時間帯の算出負荷係数３６ａを平均化することで算出する（図３の（Ａ））。
【００５６】
なお、空調システム２０の工場出荷時点では、すべての居室、時間帯に対し、時間ラベル３６ｂの初期値として、所定の初期値（例えば、１．００）が記憶されている。そして、空調システム２０を初めて稼働した初日は、時間ラベル３６ｂの初期値を用いて、各空気搬送ファン３ａ〜３ｄの送風量を設定する。
【００５７】
また、空調システム２０を初めて稼働してから５日未満である場合は、各居室２ａ〜２ｄに対して５日分の算出負荷係数３６ａが存在していない。この場合、２日目は、時間帯毎に初日と２日目の算出負荷係数３６ａの平均値を、３日目は、時間帯毎に初日〜３日目までの算出負荷係数３６ａの平均値を、４日目は、時間帯毎に初日〜４日目までの算出負荷係数３６ａの平均値を、各々の時間帯の時間ラベル３６ｂとして設定する。
【００５８】
また、上記（１）式から明らかなように、一の時間帯において、対象の居室にて設定された目標温度ＴＴに居室内温度が到達しなかった場合や、その居室の目標温度と空調室内温度とに差がなかった場合、算出負荷係数３６ａを得ることができない。図３では、この算出負荷係数３６ａが得られなかった状態を「−」として示す。
【００５９】
一の時間帯における時間ラベル３６ｂを設定する場合に、その日のその一の時間帯の算出負荷係数３６ａが得られなかった場合は、前日の同一時間帯の時間ラベル３６ｂをそのまま設定する（図３の（Ｂ））。
【００６０】
また、直近５日分（または数日分）の算出負荷係数３６ａを平均化して一の時間帯の時間ラベル３６ｂを設定する場合に、その平均化に用いられる前日までの算出負荷係数３６ａの中に、算出負荷係数３６ａが得られなかったものが存在する場合も生じ得る。その場合は、算出負荷係数３６ａが得られなかった日に対して前日までに同一時間帯で得られた算出負荷係数３６ａをそのままその得られなった日の算出負荷係数３６ａとして設定して、直近５日分（または数日分）の平均化を算出する。なお、図３の算出負荷係数３６ａに対して、括弧内の数字が、算出負荷係数３６ａが得られなかった日に対して前日までに同一時間帯で得られた算出負荷係数３６ａをそのままその得られなった日の算出負荷係数３６ａとして設定したものを示している。
【００６１】
空調制御部３１は、カレンダー機能部３４より出力される時間から、その時間帯の各居室２ａ〜２ｄの時間ラベル３６ｂを負荷係数記憶部３６より読み出して、空気搬送ファン３ａ〜３ｄの送風量を配分する。時間帯により、各居室２ａ〜２ｄへの日射や人の存在の有無等が変化するため、各居室２ａ〜２ｄの空調負荷係数も変化する。居室２ａ〜２ｄ毎に、各時間帯の空調負荷係数を示す時間ラベル３６ｂを利用することで、空調室１８にて空調された空気を、時間帯によって適切に各居室２ａ〜２ｄへ配分できる。このように、空調負荷係数のうち、時間ラベル３６ｂが、各居室２ａ〜２ｄの空調制御の基本となる係数として使用される。
【００６２】
居室ラベル３６ｃは、各居室２ａ〜２ｄにおける平均的な空調負荷係数を示すものである。即ち、居室ラベル３６ｃは、居室の数だけ記憶される。空調負荷係数算出部３２は、居室２ａ〜２ｄ毎に、その居室に対し直近の連続する５つの時間帯について設定された時間ラベル３６ｂを平均することで算出する（図３の（Ｃ））。
【００６３】
なお、空調システム２０の工場出荷時点では、すべての居室に対し、居室ラベル３６ｃの初期値として、所定の初期値（例えば、１．００）が記憶されている。そして、空調システム２０を初めて稼働した直後は、居室ラベル３６ｃの初期値を用いて、各空気搬送ファン３ａ〜３ｄの送風量を設定する。
【００６４】
また、空調システム２０を初めて稼働してから５つの時間帯に亘って稼働していない状態にある場合は、各居室２ａ〜２ｄに対して５つの時間帯の時間ラベル３６ｂが存在していない。この場合、空調負荷係数算出部３２は、１つ目の時間帯を完了した時点で、その１つ目の時間帯の時間ラベル３６ｂをそのまま対応する居室の居室ラベル３６ｃに設定する。また、空調負荷係数算出部３２、２つ目の時間帯を完了した時点でその２つの時間帯の時間ラベル３６ｂの平均値を、３つ目の時間帯を完了した時点でその３つの時間帯の時間ラベル３６ｂの平均値を、４つ目の時間帯を完了した時点でその４つの時間帯の時間ラベル３６ｂの平均値を、対応する居室の居室ラベル３６ｃとして設定する。
【００６５】
空調制御部３１は、各居室２ａ〜２ｄの居室ラベル３６ｃの大きさにより、それぞれの居室２ａ〜２ｄの居室空間の大きさを推定することで、居室２ａ〜２ｄ間に対する空調室１８の空気の送風量のバランスを調整する。即ち、各居室２ａ〜２ｄの時間ラベル３６ｂを用いてそれぞれの居室２ａ〜２ｄに対する空調室１８の空気の送風量を決定した場合、時間ラベル３６ｂには日射等の要因による空調負荷の変動が反映されているため、各居室２ａ〜２ｄへの空調室１８の空気の送風量が居室空間の大きさに対して必要以上に大きく設定される可能性がある。各居室２ａ〜２ｄの居室ラベル３６ｃの大きさにより、それぞれの居室２ａ〜２ｄの居室空間の大きさを推定して、居室２ａ〜２ｄ間に対する空調室１８の空気の送風量のバランスを調整することで、各居室２ａ〜２ｄへの空調室１８の空気の送風量が居室空間の大きさに対して必要以上に大きく設定されることを抑制できる。
【００６６】
季節ラベル３６ｄは、居室２ａ〜２ｄ毎に、所定の季節毎として月毎、即ち、１月、２月、３月、…、１１月、１２月のそれぞれについて、対応する月における空調負荷係数を示すものである。即ち、季節ラベル３６ｄは、居室２ａ〜２ｄ毎に１２か月分だけ記憶される。空調負荷係数算出部３２は、各月が終了すると、居室２ａ〜２ｄ毎に、その終了する月に各時間帯において設定された全ての時間ラベル３６ｂの平均値を算出し、その平均値をその居室のその月の季節ラベル３６ｄとして設定する。
【００６７】
季節ラベル３６ｄは、季節ごとに冷房運転・暖房運転で向かう温度域が異なる場合など、その空調負荷計算の方向を判断する場合に用いられる。
【００６８】
なお、空調システム２０の工場出荷時点では、すべての居室、月に対し、季節ラベル３６ｄの初期値として、所定の初期値（例えば、１．００）が記憶されている。そして、空調システム２０を初めて稼働した後、空調システム２０が稼働している月の季節ラベル３６ｄが設定されていない場合は、その季節ラベル３６ｄの初期値が用いられる。
【００６９】
次に、図４を参照して、制御装置１０により実行される空調負荷係数算出処理について説明する。図４は、その空調負荷係数算出処理を示すフローチャートである。この空調負荷係数算出処理を制御装置１０に実行させるプログラムが本発明の空調制御プログラムの一部である。本プログラムを制御装置１０に実行させることで、制御装置１０が空調負荷係数算出部３２として動作する。本プログラムは、制御装置１０に設けられた図示しない不揮発性のメモリに格納される。
【００７０】
空調負荷係数算出処理は、居室２ａ〜２ｄ毎に、対応する居室の空調に必要なエネルギーからその居室の空調負荷係数を算出する処理である。空調負荷係数算出処理は、カレンダー機能部３４から出力される日時に基づいて、所定の時間帯が切り替わるタイミング（１時００分、２時００分、３時００分、…、２３時００分、２４時００分のタイミング）で実行される。
【００７１】
制御装置１０は、空調負荷係数算出処理を実行すると、まず、算出対象の居室を居室２ａ〜２ｄうち、まだ算出処理を実行していない居室の中から１つ設定する（Ｓ１）。
【００７２】
次いで、制御装置１０は、直近１時間（直前の時間帯）における空調室１８内の温度ＯＴをデータ記憶部３５より取得する（Ｓ２）。次に、制御装置１０は、Ｓ１の処理により算出対象とされた居室に対して設定された目標温度ＴＴを取得する（Ｓ３）。また、制御装置１０は、その算出対象の居室に対応する空気搬送ファンに対して直近１時間に設定された送風量Ｆを、データ記憶部３５より取得する（Ｓ４）。更に、制御装置１０は、その算出対象の居室において、その直近１時間の中で、設定された目標温度ＴＴに到達するまでの時間ΔＳをデータ記憶部３５に記憶された情報から取得する（Ｓ５）。
【００７３】
そして、制御装置１０は、上記した（１）式を用いて、その直近１時間の時間帯における空調負荷係数Ｒを算出し、それを算出対象の居室の、その時間帯におけるその算出した日の算出負荷係数３６ａとして負荷係数記憶部３６に記憶する（Ｓ６）。
【００７４】
次に、制御装置１０は、その直近１時間の時間帯における時間ラベル３６ｂを、当日を含む直近５日間のその時間帯の算出負荷係数３６ａを平均化して算出し、その時間帯の時間ラベル３６ｂとして負荷係数記憶部３６に記憶する（Ｓ７）。なお、工場出荷後など、その時間帯の算出負荷係数３６ａが当日を含む直近５日間分存在しない場合や、算出負荷係数３６ａが得られなかった場合の時間ラベル３６ｂの設定方法については、上記した通りである。
【００７５】
更に、制御装置１０は、Ｓ７の処理の後、Ｓ７の処理で算出した時間帯の時間ラベル３６ｂを含む直近の５つの時間帯の時間ラベル３６ｂを平均化することで、算出対象の居室の居室ラベル３６ｃを算出し、負荷係数記憶部３６に記憶する（Ｓ８）。なお、工場出荷後など、直近の５つの時間帯の時間ラベル３６ｂが存在していない場合の居室ラベル３６ｃの設定方法については、上記した通りである。
【００７６】
次に、制御装置１０は、カレンダー機能部３４より出力される日時から、月末の２４時００分となったことに基づいて今回の空調負荷係数算出処理の実行が開始されたか否かを判断する（Ｓ９）。その結果、月末の２４時００分となったことに基づいて今回の空調負荷係数算出処理の実行が開始されたと判断される場合には（Ｓ９：Ｙｅｓ）、その月末を含む月が終了することを意味する。そこで、この場合、制御装置１０は、その終了する月に各時間帯において設定された全ての時間ラベル３６ｂの平均値を算出し、その平均値をその居室のその月の季節ラベル３６ｄとして負荷係数記憶部３６に記憶する（Ｓ１０）。
【００７７】
Ｓ１０の処理の後、または、Ｓ９の処理の結果、月末の２４時００分となったことに基づいて今回の空調負荷係数算出処理の実行が開始されたわけではないと判断される場合には（Ｓ９：Ｎｏ）、制御装置１０は、Ｓ１１の処理を実行する。Ｓ１１の処理では、今回の空調負荷係数算出処理において、全ての居室２ａ〜２ｄに対して空調負荷係数の算出を行ったか否かを判断する（Ｓ１１）。その結果、まだ空調負荷係数の算出を行っていない居室２ａ〜２ｄが存在する場合には（Ｓ１１：Ｎｏ）、制御装置１０は、Ｓ１の処理に戻って、空調負荷係数の算出を行っていない居室２ａ〜２ｄに対して空調負荷係数の算出を実行する。一方、全ての居室２ａ〜２ｄに対して空調負荷係数の算出を行った場合には（Ｓ１１：Ｙｅｓ）、制御装置１０は、この空調負荷係数算出処理を終了する。
【００７８】
次に、図５を参照して、制御装置１０により実行される空調制御処理について説明する。図５は、その空調制御処理を示すフローチャートである。この空調制御処理を制御装置１０に実行させるプログラムが本発明の空調制御プログラムの一部であり、本プログラムを制御装置１０に実行させることで、制御装置１０が空調制御部３１として動作する。本プログラムは、制御装置１０に設けられた図示しない不揮発性のメモリに格納される。
【００７９】
空調制御処理は、エアコンディショナー９と空気搬送ファン３ａ〜３ｄの運転を制御することで、一般住宅１内の空調全体を制御するための処理である。空調制御処理は、カレンダー機能部３４から出力される日時に基づいて、所定の時間帯が切り替わるタイミング（１時００分、２時００分、３時００分、…、２３時００分、２４時００分のタイミング）で実行される。
【００８０】
制御装置１０は、空調制御処理を実行すると、まず、入出力端末１９により設定された各居室２ａ〜２ｄの目標温度ＴＴを取得する（Ｓ２１）。次に、制御装置１０は、居室内温度センサ１１ａ〜１１ｄより、各居室２ａ〜２ｄにおける現在の居室内温度を取得する（Ｓ２２）。
【００８１】
そして、制御装置１０は、Ｓ２１及びＳ２２の処理により取得した各居室２ａ〜２ｄの目標温度ＴＴ及び現在の居室内温度との差に基づいて、エアコンディショナー９の運転モードを冷房運転または暖房運転のいずれかに設定する（Ｓ２３）。
【００８２】
次に、制御装置１０は、カレンダー機能部３４より出力される日時から現在の時間帯を判断し、現在の時間帯及びその前後の時間帯における各居室２ａ〜２ｄの時間ラベル３６ｂから、それぞれの居室２ａ〜２ｄにおける空調負荷の時間的な変動を予測する（Ｓ２４）。そして、制御装置１０は、Ｓ２１の処理により取得した各居室２ａ〜２ｄの目標温度と、Ｓ２４の処理により予測した各居室２ａ〜２ｄにおける空調負荷の変動の大きさとに基づいて、空調室１８の目標温度を設定する（Ｓ２５）。
【００８３】
このＳ２５の処理において、Ｓ２４の処理により予測した各居室２ａ〜２ｄにおける空調負荷の変動の大きさに基づいて空調室１８の目標温度を設定する。例えば、空調負荷の変動が大きいほど、冷房運転時には空調室１８の目標温度を各居室２ａ〜２ｄに設定された目標温度よりもより低く設定し、暖房運転時には、空調室１８の目標温度を各居室２ａ〜２ｄに設定された目標温度よりもより高く設定する。これにより、空調負荷の変動が大きい居室に対して、予め必要な空調のエネルギーを供給しておくことができるので、その後に空調負荷が大きくなったことに伴って必要な空調のエネルギーが突然大きくなることを抑制できる。よって、空気搬送ファン３ａ〜３ｄの送風量が大きくなることを抑制でき、省エネルギー運転および静音運転を実現できる。
【００８４】
なお、Ｓ２３の処理より設定されたエアコンディショナー９の運転モードと、Ｓ２５の処理により設定された空調室１８の目標温度とは、通信制御部３３を介してエアコンディショナー９へ指示される。
【００８５】
そして、続くＳ２６の処理では、居室２ａ〜２ｄそれぞれの目標温度ＴＴと現在の居室内温度との差、居室２ａ〜２ｄそれぞれに設定された現在の時間帯の時間ラベル３６ｂ、居室２ａ〜２ｄそれぞれに設定された居室ラベル３６ｃ、及び、居室２ａ〜２ｄそれぞれに設定された現在の月の季節ラベル３６ｄに応じて、空調室１８から居室２ａ〜２ｄ毎に送風する風量の配分を算出する。
【００８６】
具体的には、制御装置１０は、居室２ａ〜２ｄそれぞれの目標温度ＴＴと現在の居室内温度との差、及び、居室２ａ〜２ｄそれぞれに設定された現在の時間帯の時間ラベル３６ｂから、空調室１８から各居室２ａ〜２ｄへ送風する風量を一先ず配分する。このとき、時間ラベル３６ｂが大きい（空調負荷が大きい）居室ほど、空調室１８からの送風量が大きくなるように設定される。より具体的には、ある時間帯の各居室の風量は、各居室の時間ラベル３６ｂの全体の時間ラベルの合計に対する比率に基づいて決められてもよい。
【００８７】
そして、制御装置１０は、居室２ａ〜２ｄそれぞれに設定された居室ラベル３６ｃに基づいて、各居室２ａ〜２ｄの居室空間の大きさを推定し、居室２ａ〜２ｄ間に対する空調室１８の空気の送風量のバランスを調整する。これにより、上記した通り、各居室２ａ〜２ｄへの空調室１８の空気の送風量が居室空間の大きさに対して必要以上に大きく設定されることを抑制できる。
【００８８】
また、制御装置１０は、居室２ａ〜２ｄそれぞれに設定された現在の月の季節ラベル３６ｄに応じて、その月においてそれぞれの居室２ａ〜２ｄの空調で必要となるエネルギーも考慮して、更に空調室１８から各居室２ａ〜２ｄへの送風量を調整する。これにより、季節に応じて変動する空調負荷係数に応じた空調のエネルギーを、各居室２ａ〜２ｄへ供給できる。
【００８９】
制御装置１０は、Ｓ２６の処理において、空調室１８から居室２ａ〜２ｄ毎に送風する風量の配分を算出すると、通信制御部３３を介して、その送風量の配分に応じてそれぞれの空気搬送ファン３ａ〜３ｄを制御する。
【００９０】
なお、本実施形態では、空調負荷係数算出処理にて時間ラベル３６ｂを設定する場合にまだ直近５日間の算出負荷係数３６ａが存在せず、時間ラベル３６ｂとして初期値や存在する算出負荷係数３６ａだけの平均値が設定される場合に、その設定された時間ラベル３６ｂを用いてＳ２６の処理を実行する。これに対し、空調システム２０が初めて稼働してから、時間ラベル３６ｂが直近５日間の算出負荷係数３６ａを平均化して設定されるまでの５日間、これを時間ラベル３６ｂの学習期間として、Ｓ２６の処理では、時間ラベル３６ｂ等を用いず、空調室１８から各居室２ａ〜２ｄへの送風量を予め定められた送風量に設定するようにしてもよい。
【００９１】
本実施形態では、各居室２ａ〜２ｄへの風量は、時間ラベル３６ｂ、居室ラベル３６ｃ及び季節ラベル３６ｄに基づいて決定される。ただし、これに限らず、各居室２ａ〜２ｄへの風量は、算出負荷係数３６ａ、時間ラベル３６ｂ、居室ラベル３６ｃ及び季節ラベル３６ｄのいずれか一つに基づいて決定されてもよい。
【００９２】
次に、制御装置１０は、各居室２ａ〜２ｄの空調負荷係数を設定するために必要な情報を居室２ａ〜２ｄ毎にデータ記憶部３５に記憶する（Ｓ２７）。
【００９３】
具体的には、Ｓ２７の処理では、この空調制御処理が開始された時点の各居室２ａ〜２ｄの居室内温度をデータ記憶部３５に記憶する。また、Ｓ２７の処理では、各居室内温度センサ１１ａ〜１１ｄにて測定された居室２ａ〜２ｄそれぞれの居室内温度の時間経過をデータ記憶部３５に記憶する。
【００９４】
また、Ｓ２７の処理では、居室２ａ〜２ｄそれぞれに供給される空調室１８の空気の送風量（即ち、各居室２ａ〜２ｄに対応して設けられた空気搬送ファン３ａ〜３ｄそれぞれの送風量）の時間経過をデータ記憶部３５に記憶する。さらに、Ｓ２７の処理では、空調室内温度センサ１４にて測定された空調室温度の時間経過をデータ記憶部３５に記憶する。
【００９５】
このデータ記憶部３５に記憶された情報に基づいて、この時間帯が終了するタイミングで実行される空調負荷係数算出処理にて、居室２ａ〜２ｄそれぞれの空調負荷係数が算出される。
【００９６】
次いで、制御装置１０は、居室内温度が設定された目標温度に到達した居室への空調室１８の空気の送風を停止するよう、その居室に対応する空気搬送ファンを制御する（Ｓ２８）。
【００９７】
その後、制御装置１０は、空調室１８の空気の送風が停止された居室におけるその後の時間ラベル３６ｂを負荷係数記憶部３６から読み出して、時間ラベル３６ｂの変化が大きいかを判定する（Ｓ２９）。そして、制御装置１０は、その後の時間ラベル３６ｂの変化が大きい居室に対して、微弱な送風運転を行うように、その居室に対応する空気搬送ファンを制御する（Ｓ３０）。
【００９８】
このように、その後の時間ラベル３６ｂの変化が大きい居室に対して予め微弱な送風運転を行い、先にその居室に対して空調に必要なエネルギーを供給しておくことで、空調負荷が大きくなったことに伴って空調に必要なエネルギーが突然大きくなることを抑制できる。よって、空気搬送ファン３ａ〜３ｄの送風量が大きくなることを抑制できるので、省エネルギー運転および静音運転を実現できる。
【００９９】
Ｓ３０の処理の後、制御装置１０は、空調制御処理を終了する。
【０１００】
以上、本実施形態に係る空調システム２０では、複数の居室２ａ〜２ｄ毎に空調負荷係数（時間ラベル３６ｂ等）が算出される。その空調負荷係数に基づいて、空調室１８から居室２ａ〜２ｄ毎に送風する風量の配分が算出される。そして、風量の配分に応じてそれぞれの空気搬送ファン３ａ〜３ｄが制御される。よって、各居室２ａ〜２ｄの空調負荷を考慮して適切に空調室１８の空気を各居室へ送風できる。
【０１０１】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部または複数部分を、その実施形態に追加し或いはその実施形態の構成の一部または複数部分と交換等することにより、その実施形態を変形して構成するようにしても良い。また、上記各実施形態で挙げた数値は一例であり、他の数値を採用することは当然可能である。
【０１０２】
また、制御装置１０は、家屋外であって例えば空調システム２０の制御を管理する管理会社が運用するクラウドサーバに、空気搬送ファン等と通信可能に設けられてもよい。このような場合には、制御装置１０は、主にクラウドサーバのＣＰＵと、このＣＰＵ上で実行されるソフトウェアとの組み合わせで実現される。
【０１０３】
さらに、上述のソフトウェアは、記憶媒体に記憶させ、あるいはネットワークを介して配布することでソフトウェアを単独で流通させることが可能である。
【産業上の利用可能性】
【０１０４】
本発明に係る空調システムは、戸建て住宅やマンション等の複合住宅に適用可能である。なお、複合住宅に適用する場合には、１つのシステムが世帯単位に対応するものであり、各世帯を１つの居室とするものではない。
【符号の説明】
【０１０５】
１        一般住宅
２ａ      居室
２ｂ      居室
２ｃ      居室
２ｄ      居室
３ａ      空気搬送ファン
３ｂ      空気搬送ファン
３ｃ      空気搬送ファン
３ｄ      空気搬送ファン
４        外気導入ファン
５ａ      排気ファン
５ｂ      排気ファン
５ｃ      排気ファン
５ｄ      排気ファン
６ａ      循環ファン
６ｂ      循環ファン
６ｃ      循環ファン
６ｄ      循環ファン
９        エアコンディショナー
１０      制御装置
１１ａ    居室内温度センサ
１１ｂ    居室内温度センサ
１１ｃ    居室内温度センサ
１１ｄ    居室内温度センサ
１４      空調室内温度センサ
１８      空調室
１９      入出力端末
３１      空調制御部
３２      空調負荷係数算出部
３３      通信制御部
３４      カレンダー機能部
３５      データ記憶部
３６      負荷係数記憶部
３６ａ    算出負荷係数
３６ｂ    時間ラベル
３６ｃ    居室ラベル
３６ｄ    季節ラベル
【図１】
2020175103.tif 000003
【図２】
2020175103.tif 000004
【図３】
2020175103.tif 000005
【図４】
2020175103.tif 000006
【図５】
2020175103.tif 000007
【国際調査報告】
2020175103.tif 000008
2020175103.tif 000009
2020175103.tif 000010
2020175103.tif 000011